(57)【特許請求の範囲】
【請求項１】
左右に立設した支柱の上下方向に列設された係止孔に、後端にフックを有する左右一対のブラケットを係止し、該ブラケットにより棚板を支持してなり、物品棚に前後方向に陳列される上部に胴体部分よりくびれた首部を有する物品の落下を防止する物品落下防止装置であって、
前記物品落下防止装置は、前記左右の支柱の上下方向に列設された係止孔に係止可能なフックを備える杆部材と、少なくとも左右に離間する２本の線状部材を有し前記物品の周囲を囲繞する移動規制部材を前記杆部材の左右所定位置に配置固定できる固定部と、を備え、
前記移動規制部材は、前記２本の線状部材の左右の幅寸法が、前記物品の首部の直径より大きく、かつ前記物品の胴体部分の直径より小さく形成されていることを特徴とする物品落下防止装置。
【請求項２】
前記移動規制部材と前記固定部とが一体的に構成されており、前記固定部は前記杆部材に対して着脱可能に固定されていることを特徴とする請求項１に記載の物品落下防止装置。
【請求項３】
前記線状部材には補助規制部材が前後方向に摺動可能に取り付けられていることを特徴とする請求項１または２に記載の物品落下防止装置。
【発明の詳細な説明】
【技術分野】
【０００１】
本発明は、スーパーマーケットやコンビニエンスストア及び倉庫等で飲料などの容器を陳列及び収納する物品棚における物品落下防止装置に関する。
【背景技術】
【０００２】
従来、スーパーマーケットやコンビニエンスストア等で用いられる物品を陳列する物品棚として、平常時は物品の出し入れに支障がなく物品の展覧ができ、且つ地震などの震動による物品の落下を防止することができる物品落下防止装置がある（例えば、特許文献１、特許文献２参照）。
【先行技術文献】
【特許文献】
【０００３】
【特許文献１】特許第２８２６８１１号公報
【特許文献２】特開２００７−８２７７９号公報
【発明の概要】
【発明が解決しようとする課題】
【０００４】
しかしながら前記特許文献１に記載されている物品落下防止装置にあっては、感震振り子を利用し、この感震振り子の振動で支持機構の係合を外し、水平部材が上方に移動して落下防止装置として作動する構造になっているため、物品の出し入れに支障はないものの、係合装置と感震手段とを別々に備えなければならないといった複雑な構造であり、取扱いが煩雑になるばかりか、部品点数が増加し、製造コストが高い割には十分な落下防止効果を発揮できない。
【０００５】
また、前記特許文献２に記載されている物品落下防止装置にあっては、前方に落下防止板が設けられており、簡素化された構造でありながら物品の落下を防止するには効果があるものの、左右方向の揺れや上下方向の揺れに対して、または背の高い物品に対して落下防止効果を十分に発揮するとはいえないものである。
【０００６】
本発明は、このような問題点に着目してなされたもので、地震などの震動による物品の移動を効果的に規制し、物品棚からの物品の落下を防止することができるとともに、各種サイズの物品を陳列する物品棚に対応可能な物品落下防止装置を提供することを目的としている。
【課題を解決するための手段】
【０００７】
前記課題を解決するために、本発明の物品落下防止装置は、
左右に立設した支柱の上下方向に列設された係止孔に、後端にフックを有する左右一対のブラケットを係止し、該ブラケットにより棚板を支持してなり、物品棚に前後方向に陳列される上部に胴体部分よりくびれた首部を有する物品の落下を防止する物品落下防止装置であって、
前記物品落下防止装置は、前記左右の支柱の上下方向に列設された係止孔に係止可能なフックを備える杆部材と、少なくとも左右に離間する２本の線状部材を有し前記物品の周囲を囲繞する移動規制部材を前記杆部材の左右所定位置に配置固定できる固定部と、を備え、
前記移動規制部材は、前記２本の線状部材の左右の幅寸法が、前記物品の首部の直径より大きく、かつ前記物品の胴体部分の直径より小さく形成されていることを特徴としている。
この特徴によれば、上下方向に列設された係止孔を有する支柱に対して、杆部材の高さ、すなわち移動規制部材の上下位置を適宜物品の高さに合わせて選択可能であることから、種々の高さの物品の転倒や落下を効果的に防止できる。さらに、杆部材に対して固定部の位置を変更することにより、移動規制部材の左右位置を変更できるため、種々の形状の物品の陳列が可能となる。また、物品の胴体部分が左右の線状部材間を上方に通過できないため、物品の上方への抜脱が不能となっている。
【０００８】
本発明の物品落下防止装置は、
前記移動規制部材と前記固定部とが一体的に構成されており、前記固定部は前記杆部材に対して着脱可能に固定されていることを特徴としている。
この特徴によれば、固定部が杆部材に対して着脱可能になっているため、移動規制部材を適宜変更でき、物品に対して最適な形状の移動規制部材を配置できることになる。
【０００９】
本発明の物品落下防止装置は、
前記線状部材には補助規制部材が前後方向に摺動可能に取り付けられていることを特徴としている。
この特徴によれば、補助規制部材により、陳列された物品の後方移動を規制することができるため、物品の転倒を効果的に防止できる。
【図面の簡単な説明】
【００１０】
【図１】本発明の適用された物品棚の設置状況を示す一部拡大斜視図である。
【図２】物品落下防止装置を示す斜視図である。
【図３】物品に対する囲繞部の配置位置を示す正面図である。
【図４】物品の取り出しを示す側面図である。
【図５】異なる移動規制部材を混在させた設置状況を示す一部拡大斜視図である。
【図６】（ａ）は、変形例における移動規制部材を示す斜視図であり、（ｂ）は物品の取り出しを示す一部拡大斜視図である。
【図７】（ａ）は、変形例における移動規制部材を示す斜視図であり、（ｂ）は物品の取り出しを示す一部拡大斜視図である。
【発明を実施するための形態】
【００１１】
本発明に係る物品棚における物品落下防止装置を実施するための形態を実施例に基づいて以下に説明する。
【実施例】
【００１２】
実施例に係る物品棚における物品落下防止装置につき、図１〜図５を参照して説明する。図１〜図５の符号１は、物品棚８に取付けて使用する物品落下防止装置である。この物品落下防止装置１の使用例を図１に基づいて説明すると、物品棚８は、ここでは図示しないベース脚とその両側後端に起立し、前面に複数の係止孔１０を有した支柱９と、左右一対のブラケット部材１２に支持された数枚の棚板１１及びストッパー１３により構成されている。なお、本実施例における物品Ｂ，Ｂ…は、上部に胴体部分Ｂｂよりくびれた首部Ｂａを有する飲料等を封入した瓶等のボトル容器であり、ここではボトル容器を例に説明するものとする。
【００１３】
図１に示されるように、この物品落下防止装置１は、物品棚８の棚板１１上の物品Ｂの落下等に対応できる、物品Ｂの高さの中心より上方に位置するように位置決めされている。より詳しくは、物品落下防止装置１は、左右の支柱９，９の係止孔１０，１０…にフック６ａ，６ａ…（図２参照）を用いて係止される杆部材２を有しており、この杆部材２は、支柱９，９の係止孔１０，１０…の位置を適宜物品の高さに合わせて選択することで物品落下防止装置１の高さを調節できるようになっている。また、杆部材２に係合される移動規制部材３により、棚板１１上に前後方向に複数陳列される物品Ｂ，Ｂ…を列ごとに囲繞することで、物品Ｂ，Ｂ…が震動などにより移動したり倒れたりして落下するのを防止できるようになっている。
【００１４】
図２は、物品落下防止装置１の構成を詳述した図であり、物品落下防止装置１は、杆部材２と、この杆部材２に係合される固定部７を有する移動規制部材３と、から主に構成されている。また杆部材２は断面視略矩形状に形成されており、長手方向の両端にフック６ａ，６ａ…を有するブラケット部材６，６をそれぞれ有している。
【００１５】
移動規制部材３は、固定部７と、物品Ｂを囲繞する略Ｕ字に湾曲した金属などからなる線状部材１５とにより主に形成されている。そして固定部７は、図２及び図４に示すように、後方に一部開口した断面略矩形状に形成されており、固定部７の上片７ａおよび上片７ａの端部より下方に屈曲して延出する係止片７ｂにより杆部材２に吊持され、さらに、下片７ｃに設けられたネジ孔７ｄを挿通して固定ネジ１７を支持部材の下面２ａに押圧することで強固に固定されるようになっている。なお、固定部７は、この固定ネジ１７を緩めることで杆部材２に対し左右方向に調整および着脱可能となっている。
【００１６】
また、図１及び２に示されるように、本実施例では、前記移動規制部材３は、１本の線材が中央部で曲折され、２本の平行する部分と前方の先端部分とからなる線状部材１５を構成するようになっており、この線状部材１５により前後方向に陳列される物品を左右両側及び前側で囲繞するようになっており、該線状部材１５には補助規制部材５がこの線状部材１５に沿って前後方向に摺動可能に取り付けられている。
【００１７】
図３に示すように、移動規制部材３の高さに関しては、移動規制部材３の高さが物品Ｂの落下防止に効果的な高さである首部Ｂａに位置するように、前述した左右の支柱９，９の係止孔１０，１０を選択するのが望ましい（図１参照）。さらに、図３に示すように、移動規制部材３における左右の線状部材１５間の幅寸法Ｌ１が、物品Ｂの首部Ｂａの直径Ｌ２より大きく、かつ物品Ｂの胴体部分Ｂｂの直径Ｌ３より小さく形成されている。これにより、物品Ｂの胴体部分Ｂｂが左右の線状部材１５間を上方に通過できないため、物品Ｂの上方への抜脱が不能となっている。なお、ある程度高さのある物品Ｂは、図４に示すように、一旦上方へ持ち上げて物品棚８の棚板１１の前端部に設けられたストッパー１３を跨がせるようにして前方へ斜めに引き出しが可能になる。
【００１８】
図４に示すように、補助規制部材５は、常に物品の列の最後尾の物品Ｂ２の後方近傍に配置することで、地震などの震動による物品Ｂ２の後方への移動を規制できる。なお、物品棚８に陳列される物品は、最前の物品Ｂ１が常に線状部材１５の前端１５ａ近傍に配置されるように前詰めで陳列整理されることが望ましく、これによれば、前述した補助規制部材５による後方への移動規制に加え、前方への移動も規制され、物品の列は前後から挟まれるようになり、より効果的な物品移動の規制が可能となる。例えば図１に示すように、物品Ｂ，Ｂ…が物品棚８に３本以上陳列される場合は、最前の物品と最後尾の物品とにより、これらの間に陳列される物品が挟まれ、前後移動が規制されることになる。
【００１９】
以上説明したように、本発明の物品落下防止装置１は、左右の支柱９，９の上下方向に列設された係止孔１０，１０…に係止可能なフック６ａ，６ａ…を備える杆部材２と、前記物品棚８に前後方向に陳列される物品Ｂ，Ｂ…の周囲を囲繞する移動規制部材３を前記杆部材２の左右所定位置に配置固定できる固定部７と、を備え、補助規制部材５が、左右両側の線状部材１５を跨ぐように前後に摺動可能に取付けられている。これによれば、上下方向に列設された係止孔１０，１０…を有する支柱９，９に対して、杆部材２の高さ、すなわち移動規制部材３の上下位置を適宜物品の高さに合わせて選択可能であることから、種々の高さの物品の転倒や落下を効果的に防止でき、さらに前記杆部材２に対して固定部７の位置を変更することにより、移動規制部材３の左右位置を変更できるため、種々の形状の物品の陳列が可能となる。また、補助規制部材５により、陳列された物品Ｂの後方移動を規制することができる。
【００２０】
また、移動規制部材３における左右の線状部材１５により、前後に陳列される物品の列が個々に囲繞可能であることから、隣接する他の列の物品との干渉が阻止され、物品の破損を防止できることになる。
【００２１】
なお、本実施例における物品Ｂは、特に上部に胴体部分よりくびれた首部を有する飲料等を封入したボトル容器を例にとり説明してきたが、本発明はこのような容器に限らず、たとえば図５に示すように、線状部材１５の左右の幅が異なる移動規制部材３をそれぞれ用意することで、種々の形状の物品に合わせて最適な形状の移動規制部材３０により、物品Ｂの移動を規制することができる。
【００２２】
また、図６は、本発明における移動規制部材３の変形例であり、図６（ａ）に示すように左右の線状部材２５が左右に分割されるとともに、ゴムチューブなどにより形成される弾性部材４０，４０により連結されている。これによれば、物品の取り出し時に図６（ｂ）に示すように分割された線状部材の前部２５ａが上に持ち上がり、物品Ｂを容易に取り出すことができる。
【００２３】
さらに、図７は、本発明における物品落下防止装置１の更なる変形例であり、図７（ａ）に示すように囲繞部３５が前端部がゴムなどの弾性素材で形成されており、この前端部４１，４１は中央が切離されており、左右に開口可能となっている。これによれば、図７（ｂ）に示すように物品Ｂを前端部４１，４１に所定の力で押し付けることで前端部４１，４１同士が弾性変形して漸次離間し、物品Ｂの取り出しが行えるようになっている。
【００２４】
以上、本発明の実施例を図面により説明してきたが、具体的な構成はこれら実施例に限られるものではなく、本発明の要旨を逸脱しない範囲における変更や追加があっても本発明に含まれる。
【００２５】
例えば、棚板１１に前方に向けて下を向く傾斜を設ける物品棚に本発明の物品落下防止装置１を取り付ける場合は、棚板１１上の商品１２が前方へ自重で押し出されるとともに、物品が前方に隣接する物品に自重をかけた状態で安定し、後方への移動が生じ難いため、必ずしも補助規制部材５を用いなくとも良いことになる。
【符号の説明】
【００２６】
１                物品落下防止装置
２                杆部材
３                移動規制部材
５                補助規制部材
５ａ              杆部材下面
６                ブラケット部材
６ａ              フック
７                固定部
８                物品棚
９                支柱
１０              係止孔
１１              棚板
１２              ブラケット部材
１３              ストッパー
１５              線状部材
Ｂ，Ｂ１，Ｂ２    物品
Ｂａ              首部
Ｂｂ              胴体部分
【図１】
0005959922.tif 000002
【図２】
0005959922.tif 000003
【図３】
0005959922.tif 000004
【図４】
0005959922.tif 000005
【図５】
0005959922.tif 000006
【図６】
0005959922.tif 000007
【図７】
0005959922.tif 000008